(57)【特許請求の範囲】
【請求項１】
クライアント型電話機と該クライアント型電話機を配下に持つサーバとからなるシンクライアント型電話システム間にて画像通信と音声通信を行う通信システムであって、
前記シンクライアント型電話システム間にてリンクを確立する制御手段を有し、
前記制御手段は、
前記クライアント型電話機の電話番号及び接続先情報と、当該クライアント型電話機を配下に持つサーバの接続先情報とが組として登録されたデータベースと、
前記データベースを参照し、１つの呼に対して、前記画像通信については、画像情報の送信元となるクライアント型電話機を配下に持つサーバと前記画像情報の送信先となるクライアント型電話機を配下に持つサーバそれぞれの接続先情報を用いてこれら２つのサーバの間にてリンクを確立し、前記音声通信については、音声情報の送信元となるクライアント型電話機と前記音声情報の送信先となるクライアント型電話機それぞれの電話番号を用いてこれら２つのクライアント型電話機の間にてリンクを確立するリンク確立手段とを有し、
１つの呼に対して、前記画像通信は、前記確立されたリンクを用いて前記クライアント型電話機間にて前記サーバを介して行い、前記音声通信は、前記確立されたリンクを用いて前記クライアント型電話機間にて前記サーバを介さずに行う通信システム。
【請求項２】
請求項１に記載の通信システムにおいて、
前記サーバは、画像情報として受信した画像信号を、配下に持つ前記クライアント型電話機にて表示可能な情報に変換して前記クライアント型電話機に送信することを特徴とする通信システム。
【請求項３】
請求項１に記載の通信システムにおいて、
前記サーバは、前記クライアント型電話機の接続情報からなる電話帳機能を有し、前記クライアント型電話機の接続情報の一覧を配下のクライアント型電話機に送信することを特徴とする通信システム。
【請求項４】
請求項１に記載の通信システムにおいて、
前記サーバは、ネットワークを介して入手した情報を発信する情報発信機能を有し、前記入手した情報を配下のクライアント型電話機に送信することを特徴とする通信システム。
【請求項５】
請求項１に記載の通信システムにおいて、
前記クライアント型電話機は、
受話器と、
オンフック及びオフフックを機械的に検出可能なフックスイッチと、
通信相手を機械的に特定可能なプッシュボタンとを有することを特徴とする通信システム。
【請求項６】
クライアント型電話機と該クライアント型電話機を配下に持つサーバとからなるシンクライアント型電話システム間にて画像通信と音声通信を行う通信方法であって、
前記クライアント型電話機の電話番号及び接続先情報と、当該クライアント型電話機を配下に持つサーバの接続先情報とが組として登録されたデータベースを参照し、１つの呼に対して、前記画像通信については、画像情報の送信元となるクライアント型電話機を配下に持つサーバと前記画像情報の送信先となるクライアント型電話機を配下に持つサーバそれぞれの接続先情報を用いてこれら２つのサーバの間にてリンクを確立し、前記音声通信については、音声情報の送信元となるクライアント型電話機と前記音声情報の送信先となるクライアント型電話機それぞれの電話番号を用いてこれら２つのクライアント型電話機の間にてリンクを確立し、
１つの呼に対して、前記画像通信は、前記確立されたリンクを用いて前記クライアント型電話機間にて前記サーバを介して行い、前記音声通信は、前記確立されたリンクを用いて前記クライアント型電話機間にて前記サーバを介さずに行う通信方法。
【請求項７】
請求項６に記載の通信方法において、
前記サーバにて画像情報として受信した画像信号を、配下に持つ前記クライアント型電話機にて表示可能な情報に変換して前記クライアント型電話機に送信することを特徴とする通信方法。
【発明の詳細な説明】
【技術分野】
【０００１】
本発明は、通信システム及び通信方法に関し、特に、クライアント型電話機とサーバとからなるシンクライアント型電話システム間にて画像通信と音声通信を行う通信システム及び通信方法に関する。
【背景技術】
【０００２】
近年のＩＰ技術の急速な進展に伴い、サーバと配下の複数のクライアント型電話機からなるシンクライアント型電話システムが利用されている。このシンクライアント型電話システムでは、複数のクライアント型電話機間における画像通信と音声通信を、そのクライアント型電話機を配下に持つサーバを介して行う。
【０００３】
クライアント電話機が要求した他の電話機との呼接続情報は、そのクライアント電話機を配下に持つサーバに送信される。そして、サーバに送信された呼接続信号は、他の電話機を配下に持つ他のサーバに向け送信され、サーバ間で呼接続が行われる。双方のサーバは、画像通信と音声通信との両方のリンクを同時に確立し、配下のクライアント電話機にテレビ電話機能を提供する。
【０００４】
サーバは、画像通信と音声通信とを同時に処理する。サーバで受信された画像信号は、サーバの画像処理部でクライアント型電話機の表示部に表示する画面信号に変換され、それぞれのクライアント型電話機に送信される。また、逆に、サーバは、配下の電話機のカメラで撮像された撮像信号を画像信号に変換し、ネットワークを介して他のサーバに送信する。
【０００５】
サーバで受信された音声信号は、そのサーバの配下のクライアント型電話機に送信される。また、逆に、サーバは、配下の電話機からの音声信号をネットワークを介して他のサーバに送信する。
【０００６】
このように、画像通信と音声通信とをサーバを介して行うことにより、テレビ電話が実現されている（例えば、特許文献１参照。）。
【特許文献１】特開２００５−６２４０号公報
【発明の開示】
【発明が解決しようとする課題】
【０００７】
しかしながら、上述したように、サーバの配下に複数のクライアント型電話機が接続され、個々のクライアント型電話機の通信処理をサーバが代行処理し、個々のクライアント型電話機の通信処理機能を省くシンクライアント型電話システムにおいては、システムの簡略化が実現できるものの、サーバは複数のクライアント型電話機の画像通信と音声通信とを同時に処理することになるために過負荷状態になってしまう。サーバが過負荷状態になってしまうと、画像通信と音声通信の処理に遅れが生じ、音声が途切れてしまうことになってしまうという問題点がある。
【０００８】
本発明は、上述したような技術が有する問題点に鑑みてなされたものであって、サーバが過負荷状態となることを抑制するとともに、音声が途切れてしまうことを回避することができる通信システム及び通信方法を提供することを目的とする。
【課題を解決するための手段】
【０００９】
上記目的を達成するために本発明は、
クライアント型電話機と該クライアント型電話機を配下に持つサーバとからなるシンクライアント型電話システム間にて画像通信と音声通信を行う通信システムであって、
前記シンクライアント型電話システム間にてリンクを確立する制御手段を有し、
前記制御手段は、
前記クライアント型電話機の電話番号及び接続先情報と、当該クライアント型電話機を配下に持つサーバの接続先情報とが組として登録されたデータベースと、
前記データベースを参照し、１つの呼に対して、前記画像通信については、画像情報の送信元となるクライアント型電話機を配下に持つサーバと前記画像情報の送信先となるクライアント型電話機を配下に持つサーバそれぞれの接続先情報を用いてこれら２つのサーバの間にてリンクを確立し、前記音声通信については、音声情報の送信元となるクライアント型電話機と前記音声情報の送信先となるクライアント型電話機それぞれの電話番号を用いてこれら２つのクライアント型電話機の間にてリンクを確立するリンク確立手段とを有し、
１つの呼に対して、前記画像通信は、前記確立されたリンクを用いて前記クライアント型電話機間にて前記サーバを介して行い、前記音声通信は、前記確立されたリンクを用いて前記クライアント型電話機間にて前記サーバを介さずに行う。
【発明の効果】
【００１０】
以上説明したように本発明においては、１つの呼に対して、画像通信についてはサーバを介して画像通信が行われるものの、音声通信については、個々のクライアント型電話機間にて音声通信が行われるため、サーバにおいて、配下のクライアント型電話機の音声通信の処理が不要となり、サーバの負荷が軽減し、過負荷状態となることが抑制される。また、サーバが過負荷状態となった場合においても、音声通信の処理に影響を与えず、音声処理がリアルタイムに行われ、音声が途切れてしまうことを回避することができる。
【発明を実施するための最良の形態】
【００１１】
以下に、本発明の実施例について図面を参照して説明する。
【００１２】
図１は、本発明の通信システムの一実施例を示す図である。
【００１３】
本実施例は図１に示すように、シンクライアント型電話システム５６と、シンクライアント型電話システム５７と、制御手段である呼制御装置５１とが、ＬＡＮ６３を介して接続されて構成されている。
【００１４】
シンクライアント型電話システム５６は、２つのクライアント型電話機３６，３７と、この電話機３６，３７を配下に持つサーバ３１とがＬＡＮ６１を介して接続されて構成されている。サーバ３１はＬＡＮ６３に接続されている。なお、サーバ３１が配下に持つ電話機３６，３７の数は、図示したように２つに限らない。
【００１５】
シンクライアント型電話システム５７も同様に、２つのクライアント型電話機４６，４７と、この電話機４６，４７を配下に持つサーバ４１とがＬＡＮ６２を介して接続されて構成されている。サーバ４１はＬＡＮ６３に接続されている。なお、サーバ４１が配下に持つ電話機４６，４７の数は、図示したように２つに限らない。
【００１６】
図２は、図１に示した電話機３６，３７，４６，４７の構成例を示す図であり、（ａ）は概略概観図、（ｂ）は（ａ）に示した盤面５の構成を示す図である。また、図３は、図２に示した電話機のハードウェア構成を中心に示す図である。
【００１７】
本実施例における電話機３６，３７，４６，４７は図２（ａ）に示すように、卓上に載置される卓上電話機形状の筐体からなる本体部４と、本体部４に対して有線もしくは無線で接続された受話器部１とから構成されている。本体部４は、その筐体上部の盤面５に電話操作部５ａを有するとともに、その筐体内部に受話器部１及び電話操作部５ａに接続されたコンピュータ部３を有している。
【００１８】
受話器部１は、本体部４に設けられた窪みに載置可能に構成されており、通話していない状態ではこの窪みに載置される。この窪みには、受話器部１を取り上げたオフフック状態と受話器部１を載置したオンフック状態を検出するためのメカニカルなフックスイッチ２が設けられている。機械的接点によりオンフック／オフフックを機械的に検出する。このオフフック／オンフック信号は、ＵＳＢ等のインタフェース経由でコンピュータ部３に対して出力される。また、コンピュータ部３には、インターネットプロトコルで通信を行うＩＰソフトフォンがインストールされ、テレビ電話機能を備えたテレビ電話装置を有している。
【００１９】
また、図２（ｂ）に示すように本体部４の盤面５には、表示部１１と、ラインボタン部１２と、キー部１３と、機能ボタン部１４と、デジレスボタン部１５と、カメラ部１６と、スピーカー部１７と、マイク部１８と、ポインティングデバイス（マウス）部１９とが設けられている。
【００２０】
表示部１１は、液晶ディスプレイもしくは液晶タッチパネルになっている。表示部１１が液晶タッチパネルである場合は、ポインティングデバイス部１９を省略することもできる。表示部１１は、ＬＡＮインタフェース２３と接続されている。サーバ３１，４１で画像信号から生成された表示部１１用の画面信号は、ＬＡＮ６１，６２を介してＬＡＮインタフェース２３から入力され、表示部１１に供給される。表示部１１は画面情報を表示する。
【００２１】
ラインボタン部１２は、複数のボタンからなり、ＵＳＢ等のインタフェースでコンピュータ部３と接続されており、ソフトフォンの外部インタフェースに対して入出力を行う。具体的には、ソフトフォンからラインボタン点灯／消灯信号等を入力として受け取り、ソフトフォンに対してラインボタン押下信号を出力として渡す。
【００２２】
キー部１３は、ダイヤル操作を行うためのメカニカルなプッシュボタン１３ａを有しており、機械的接点によりプッシュボタンのオン／オフを検出する。このプッシュボタン１３ａを押下することにより、通信相手が機械的に特定可能となっている。また、方向キー、リターンキー等、コンピュータの標準的なキーボードのキーのうち、ソフトフォンによる電話操作の際に主に使用されるキーのみが配置されている。電話のプッシュボタンとコンピュータのテンキーとは配置が互いに異なるが、電話のプッシュボタンの配置を用いる。このように、プッシュボタンを主としつつ、必要なキーに絞り込んで配置することにより、コンピュータと言うよりは電話に近い外観とサイズと操作性が得られる。また、標準的なキーボードが使いたい場合には、コンピュータ部３のＵＳＢインタフェースにＵＳＢキーボードを接続して使用する。
【００２３】
機能ボタン部１４は、リセットボタン１４ａと、保留ボタン１４ｂと、転送ボタン１４ｃと、フックボタン１４ｄとからなる。ＵＳＢ等のインタフェースでコンピュータ部３と接続されており、ソフトフォンの外部インタフェースに対して入出力を行い、ソフトフォンに対して機能ボタン押下信号を出力として渡す。リセットボタン１４ａは、装置の状態に関わらずとにかく電話をかけたい時、装置を所定の状態に強制的に戻す。
【００２４】
デジレスボタン部１５は、ＵＳＢ等のインタフェースでコンピュータ部３と接続されており、ソフトフォンの外部インタフェース（ＡＰＩ）に対して入出力を行い、ソフトフォンに対してデジレスボタン押下信号を出力として渡す。目的は、表示部１１の画面上の、デジレスボタンに隣接した部分に、デジレスボタンの機能をソフトフォンが表示することができるようにし、また、ソフトフォンの状態によって、その表示を変化させ、デジレスボタン押下信号の意味を、ソフトフォンが状態に応じて解釈できるようにすることである。
【００２５】
ＵＳＢインタフェース２５は、他の端末等のＵＳＢインタフェースと接続線を介してデジタル信号の送受信を行う。
【００２６】
電話機３６，３７，４６，４７はそれぞれテレビ電話機能を備える。カメラ部１６は、ＵＳＢ等のインタフェースでコンピュータ部３と接続されており、ソフトフォンもしくはアプリケーションソフトウェアが、テレビ電話／テレビ会議機能等の目的でカメラと連携する場合に使用される。
【００２７】
スピーカー部１７は、コンピュータ部３の音声出力に接続されており、また、マイク部１８は、コンピュータ部３の音声入力に接続されている。
【００２８】
電話機３６，３７，４６，４７は、ＲＧＢアナログ画像信号インタフェース及びＤＶＩデジタル画像信号インタフェースを備える。
【００２９】
ＲＧＢアナログ画像信号インタフェースは、ＲＧＢアナログ画像信号入力インタフェース２６とＲＧＢアナログ画像信号出力インタフェース２７とからなる。ＲＧＢアナログ画像信号入力インタフェース２６は、ＲＧＢの３個のアナログ画像信号を入力するインタフェースであり、また、ＲＧＢアナログ画像信号出力インタフェース２７は、ＲＧＢの３個のアナログ画像信号を出力するインタフェースで、Ｄ−ＳＵＢコネクタがインタフェースとして利用される。
【００３０】
ＤＶＩデジタル画像信号インタフェースは、ＤＶＩデジタル画像信号入力インタフェース２８とＤＶＩデジタル画像信号出力インタフェース２９とからなる。ＤＶＩデジタル画像信号入力インタフェース２８は、デジタル画像信号を入力するインタフェースであり、ＤＶＩデジタル画像信号出力インタフェース２９は、デジタル画像信号を出力するインタフェースで、ＤＶＩコネクタがインタフェースとして利用される。
【００３１】
ポインティングデバイス部１９は、タッチパッド／マウス等相当のポインティングデバイスであり、コンピュータ部３と接続されている。制御部２１は、ポインティングデバイスが出力した座標の移動情報を、ＬＡＮインタフェース２３を介してサーバ３１，４１に送信する。表示部１１がタッチパネルである場合には、ポインティングデバイス部１９は省略できる。
【００３２】
コンピュータ部３は、パソコン用もしくはＰＤＡ等用オペレーティングシステムが動作するのに必要な、制御部２１及び記憶部３０を備える。また、イーサーネット用のＬＡＮインタフェース２３を持ち、ＬＡＮ６３によってネットワークと接続されている。
【００３３】
コンピュータ部３は、パソコン／ＰＤＡ等標準のキーボード用インタフェースを介してプッシュボタン１３ａと接続されており、また、パソコン／ＰＤＡ等標準のディスプレイ用インタフェースを介して表示部１１と接続されている。パソコン／ＰＤＡ等標準のポインティングデバイス用インタフェースを介してポインティングデバイス部１９と接続されている。なお、表示部１１がタッチパネルの場合は、ＰＣ／ＰＤＡ標準のポインティングデバイスインタフェースを介してオペレーティングシステムと表示部１１とが接続されている。
【００３４】
電話機３６，３７，４６，４７を、シンクライアント型電話システムのクライアント型電話機として用いず、単体でテレビ電話装置として用いる場合は、コンピュータ部３には、インターネットプロトコルで通信を行うＩＰソフトフォンがインストールされる。ＬＡＮインタフェース２３を介して複数の電話機と同時に呼接続を行い、呼接続された他の複数の電話機と、同時に画像または音声による通信を行うテレビ電話通信部２４を有している。
【００３５】
同様に、電話機３６，３７，４６，４７を、シンクライアント型電話システムのクライアント型電話機として用いず、単体でテレビ電話装置として用いる場合は、コンピュータ部３には、画像処理部２２がインストールされる。
【００３６】
ＬＡＮインタフェースを介して、サーバから受信した画面情報を、画像処理部２２は表示部１１に表示する。
【００３７】
送信元の電話機のカメラ部１６が撮像した画像信号はＬＡＮインタフェース２３を介して、サーバ３１，４１に送信され、サーバ３１，４１間で画像信号の通信を行い、送信先のサーバが受信した画像信号から生成した画面情報は電話機に送信され、電話機は画面情報を受信し表示する。
【００３８】
図４は、図１に示した呼接続装置５１の構成を示す図である。
【００３９】
本実施例における呼接続装置５１は図４に示すように、リンク確立手段であるＳＩＰサーバ５２と、ロケーションサーバ５３と、ロケーションサーバ５３に接続されたデータベース５４とからなる。
【００４０】
ＳＩＰサーバ５２は、ＳＩＰ（Session Initiation Protocol）を用いて、接続元のサーバや電話機を、接続先のサーバや電話機に呼接続させる。
【００４１】
データベース５４には、ＵＲＬまたはＩＰアドレスからなるサーバの接続先情報と、そのサーバに接続されている電話機の電話番号と、ＵＲＬまたはＩＰアドレスからなる電話機の接続先情報とを１つのデータの組として関連付けして、呼接続装置５１が呼接続を担当する電話機の台数分、予め登録されている。
【００４２】
図５は、図１に示したサーバ３１の構成を示す図である。なお、サーバ４１の構成も同様である。
【００４３】
本実施例におけるサーバ３１は図５に示すように、制御部３２と、画像処理部３３と、記憶部３４と、ＬＡＮインタフェース３５とからなる。
【００４４】
制御部３２は、サーバ３１全体を制御する。
【００４５】
画像処理部３３は、電話機３６，３７のカメラ部１５からＬＡＮインタフェース３５を介して受信した撮像情報を、画像信号に変換する。また、他のサーバ４１からＬＡＮインタフェース３５を介して受信した画像信号を、電話機３６，３７の表示部１１にて表示可能な画面情報に変換する。
【００４６】
記憶部３４は、サーバ３１に接続されている複数の電話機３６，３７のリストを保有し、それぞれの電話機３６，３７の電話番号と、ＵＲＬまたはＩＰアドレスからなる電話機３６，３７の接続先情報を保有している。
【００４７】
以下に、上記のように構成された通信システムにおいて、シンクライアント型電話システム５６，５７間で、電話機３６から電話機４６に画像通信と音声通信によるテレビ電話を実施する場合の動作について説明する。
【００４８】
まず、ユーザは、電話機３６のプッシュボタン１３ａにより、接続先の電話機４６の電話番号を入力する。電話機３６は、接続先の電話機４６の電話番号と、自電話機３６の電話番号と、自電話機３６のＵＲＬまたはＩＰアドレスからなる接続先情報とを電話機間呼接続情報としてサーバ３１に送信する。
【００４９】
電話機間呼接続情報を受信したサーバ３１は、自サーバ３１のＵＲＬまたはＩＰアドレスからなる接続先情報と、電話機間呼接続情報を、呼制御装置５１のＳＩＰサーバ５２に送信する。
【００５０】
ＳＩＰサーバ５２は、サーバ３１のＵＲＬまたはＩＰアドレスからなる接続先情報と、電話機間呼接続情報を受信すると、電話機間呼接続情報から接続先の電話機４６の電話番号を抽出し、ロケーションサーバ５３に接続先の電話機４６の電話番号を送信して、接続先の電話機４６のＵＲＬまたはＩＰアドレスからなる接続先情報を問い合わせる。
【００５１】
ロケーションサーバ５３は、接続先の電話機４６の電話番号を受信すると、電話番号をキーワードにして、データベース５４を検索する。データベース５４から、互いに関連付けられた、ＵＲＬまたはＩＰアドレスからなるサーバ４１の接続先情報と、そのサーバ４１に接続されている電話機４６の電話番号と、ＵＲＬまたはＩＰアドレスからなる電話機４６の接続先情報とが出力される。ロケーションサーバ５３は、ＵＲＬまたはＩＰアドレスからなるサーバ４１の接続先情報と、そのサーバに接続されている電話機４６の電話番号と、ＵＲＬまたはＩＰアドレスからなる電話機４６の接続先情報を、ＳＩＰサーバ５２に送信する。
【００５２】
ＳＩＰサーバ５２は、接続先の電話機４６がシンクライアント型電話システム５７のクライアント電話機であることを認識し、接続元のサーバ３１と接続先のサーバ４１間での画像通信のリンクの確立と、接続元の電話機３６と接続先の電話機４６間での音声通信のリンクの確立をそれぞれ開始する。
【００５３】
画像通信のリンクの確立は、ＳＩＰサーバ５２が、接続元のＵＲＬまたはＩＰアドレスからなるサーバ３１の接続先情報と、接続先のＵＲＬまたはＩＰアドレスからなるサーバ４１の接続先情報を用いて、双方のサーバ間のリンクを確立するというように行われる。
【００５４】
音声通信のリンクの確立は、ＳＩＰサーバ５２が、接続元のＵＲＬまたはＩＰアドレスからなる電話機３６の接続先情報と、接続先のＵＲＬまたはＩＰアドレスからなる電話機４６の接続先情報を用いて、接続先の電話機４６がフックアップし、そして接続元の電話機３６が、接続先の電話機４６がフックアップしたことを認識することにより、双方の電話機間の電話通信のリンクを確立するというように行われる。
【００５５】
双方の電話機間のリンクが確立したのをＳＩＰサーバ５２が認識すると、ＳＩＰサーバ５２は、双方のサーバ３１，４１に対して、画像通信を開始するように指示する。
【００５６】
電話機３６のカメラ部１６で撮像された撮像情報は、ＬＡＮインタフェース２３から、ＬＡＮ６１を介してサーバ３１に送信される。また、電話機４６のカメラ部１６で撮像された撮像情報は、ＬＡＮインタフェース２３から、ＬＡＮ６２を介してサーバ４１に送信される。
【００５７】
それぞれのサーバ３１，４１は、撮像情報を受信すると、画像処理部３３において、受信した撮像情報を画像信号に変換し、ＬＡＮインタフェース３５から、画像通信のリンクが確立している他方のサーバに、画像信号を送信する。画像信号を受信したそれぞれのサーバは、画像処理部３３において、受信した画像信号を電話機の表示部１１にて表示可能な画面情報に変換する。
【００５８】
サーバ３１で変換された画面情報は、ＬＡＮインタフェース３５から、ＬＡＮ６１を介して電話機３６に送信され、電話機３６の表示部１１に表示される。また、サーバ４１で変換された画面情報は、ＬＡＮインタフェース３５から、ＬＡＮ６２を介して電話機４６に送信され、電話機４６の表示部１１に表示される。
【００５９】
それぞれの電話機で撮像された撮像情報はサーバに送信され、さらに他方のサーバに送信され、画面情報に変換されて、サーバ配下の電話機の表示部１１に表示される。電話通信のリンクが確立している双方の電話機は、電話機の表示武に表示される画面情報を参照しながら、音声通信を行う。
【００６０】
（他の実施例）
図６は、本発明の通信システムの他の実施例を示す図である。
【００６１】
本実施例は図６に示すように、シンクライアント型電話システム５６と、テレビ電話機能を有する複数の電話機６６，６７と、呼制御装置５１とがＬＡＮ６３を介して接続されて構成されている。
【００６２】
シンクライアント型電話システム５６は、２つのクライアント型電話機３６，３７と、この電話機３６，３７を配下に持つサーバ３１とがＬＡＮ６１を介して接続されて構成されている。サーバ３１はＬＡＮ６３に接続されている。なお、サーバ３１が配下に持つ電話機３６，３７の数は、図示したように２つに限らない。
【００６３】
電話機３６，３７，６６，６７の構成は、図２及び図３に示したものと同様であり、また、サーバ３１及び呼制御装置５１の構成は、図４及び図５に示したものと同様である。
【００６４】
以下に、上記のように構成された通信システムにおいて、シンクライアント型電話システム５６の電話機３６とテレビ電話機能を有する電話機６６との間にて画像と音声によるテレビ電話を実施する場合の動作について説明する。
【００６５】
ユーザは、電話機３６のプッシュボタン１３ａにより、接続先の電話機６６の電話番号を入力する。電話機３６は、接続先の電話機６６の電話番号と、自電話機３６の電話番号と、自電話機３６のＵＲＬまたはＩＰアドレスからなる接続先情報とを電話機間呼接続情報としてサーバ３１に送信する。
【００６６】
電話機間呼接続情報を受信したサーバ３１は、自サーバ３１のＵＲＬまたはＩＰアドレスからなる接続先情報と電話機間呼接続情報とを呼制御装置５１のＳＩＰサーバ５２に送信する。
【００６７】
ＳＩＰサーバ５２は、サーバ３１のＵＲＬまたはＩＰアドレスからなる接続先情報と電話機間呼接続情報とを受信すると、電話機間呼接続情報から接続先の電話機６６の電話番号を抽出し、ロケーションサーバ５３に接続先の電話機６６の電話番号を送信して、接続先の電話機６６のＵＲＬまたはＩＰアドレスからなる接続先情報を問い合わせる。
【００６８】
ロケーションサーバ５３は、接続先の電話機６６の電話番号を受信すると、電話番号をキーワードにしてデータベース５４を検索する。データベース５４から、電話機６６の電話番号と、ＵＲＬまたはＩＰアドレスからなる電話機６６の接続先情報とが出力される。ロケーションサーバ５３は、電話機６６の電話番号と、ＵＲＬまたはＩＰアドレスからなる電話機６６の接続先情報とをＳＩＰサーバ５２に送信する。
【００６９】
ＳＩＰサーバ５２は、接続先の電話機６６がテレビ電話機能を有する電話機であることを認識し、接続元のサーバ３１と接続先の電話機６６間での画像通信のリンクの確立と、接続元の電話機３６と接続先の電話機６６との間での音声通信のリンクの確立をそれぞれ開始する。
【００７０】
画像通信のリンクの確立は、ＳＩＰサーバ５２が、接続元のＵＲＬまたはＩＰアドレスからなるサーバ３１の接続先情報と、接続先のＵＲＬまたはＩＰアドレスからなる電話機６６の接続先情報とを用いて、サーバ３１と電話機６６のリンクを確立するように行われる。
【００７１】
音声通信のリンクの確立は、ＳＩＰサーバ５２が、接続元のＵＲＬまたはＩＰアドレスからなる電話機３６の接続先情報と、接続先のＵＲＬまたはＩＰアドレスからなる電話機６６の接続先情報とを用いて、接続先の電話機６６がフックアップし、そして接続元の電話機３６が、接続先の電話機６６がフックアップしたことを認識することにより、双方の電話機間の電話通信のリンクを確立するように行われる。
【００７２】
双方の電話機間のリンクが確立したのをＳＩＰサーバ５２が認識すると、ＳＩＰサーバ５２は、サーバ３１と電話機６６に画像通信を開始するように指示する。
【００７３】
電話機３６のカメラ部１６で撮像された撮像情報は、ＬＡＮインタフェース２３から、ＬＡＮ６１を介してサーバ３１に送信される。サーバ３１は、撮像情報を受信すると、画像処理部３３において、受信した撮像情報を画像信号に変換し、ＬＡＮインタフェース３５から、画像通信のリンクが確立している電話機６６に画像信号を送信する。画像信号を受信した電話機６６は、画像処理部２２において、画像信号を電話機６６の表示部１１にて表示可能な画面情報に変換し、表示部１１に表示する。
【００７４】
一方、電話機６６のカメラ部１６で撮像された撮像情報は、画像処理部２２で画像信号に変換され、ＬＡＮインタフェース２３から、ＬＡＮ６１を介して画像通信のリンクが確立しているサーバ３１に送信される。
【００７５】
画像信号を受信したサーバ３１は、画像処理部３３において、画像信号を電話機３６の表示部１１にて表示可能な画面情報に変換する。画面情報は、ＬＡＮインタフェース３５から、ＬＡＮ６１を介して電話機３６に送信され、電話機３６の表示部１１に表示される。
【００７６】
電話通信のリンクが確立している双方の電話機は、電話機の表示武１１に表示される画面情報を参照しながら、音声通信を行う。
【００７７】
シンクライアント型電話システムのサーバは、電話帳機能を有する。サーバ３１は、複数の接続先の名前からなる接続先名と接続先名の電話番号を記憶部３４に記憶する。制御部３２は、複数の接続先名と接続先名の電話番号から接続先名一覧の画像情報を生成すると、画像処理部３３で配下の電話機３６，３７の表示部１１に表示する画面情報に変換する。電話機３６，３７は画面情報を受信し、接続先名一覧の画面を表示部１１に表示する。
【００７８】
電話機３６のポインティングデバイス（マウス）部１９の操作により、電話機４６の接続先名が選択されると、電話機３６は、接続先の電話機４６の電話番号と、自電話機３６の電話番号と、自電話機３６のＵＲＬまたはＩＰアドレスからなる接続先情報を電話機間呼接続情報としてサーバ３１に送信する。
【００７９】
電話機間呼接続情報を受信したサーバ３１は、自サーバ３１のＵＲＬまたはＩＰアドレスからなる接続先情報と電話機間呼接続情報とを、呼制御装置５１のＳＩＰサーバ５２に送信する。
【００８０】
以降の動作は、上述したシンクライアント型電話システム５６，５７間で、電話機３６から電話機４６に呼接続を実施する場合の動作と同様である。
【００８１】
シンクライアント型電話システムのサーバは、情報発信機能を有する。サーバ３１は、ＬＡＮ６３に接続された複数の情報発信端末（図示せず）から入手した情報を用いて情報表示画面を生成する。情報表示画面の画像情報は、画像処理部３３で配下の電話機３６，３７の表示部１１に表示する画面情報に変換する。電話機３６，３７は画面情報を受信し、情報表示画面を表示部１１に表示する。
【図面の簡単な説明】
【００８２】
【図１】本発明の通信システムの一実施例を示す図である。
【図２】図１に示した電話機の構成例を示す図であり、（ａ）は概略概観図、（ｂ）は（ａ）に示した盤面の構成を示す図である。
【図３】図２に示した電話機のハードウェア構成を中心に示す図である。
【図４】図１に示した呼接続装置の構成を示す図である。
【図５】図１に示したサーバの構成を示す図である。
【図６】本発明の通信システムの他の実施例を示す図である。
【符号の説明】
【００８３】
１    受話器部
２    フックスイッチ
３    コンピュータ部
４    本体部
５    盤面
５ａ    電話操作部
１１    表示部
１２    ラインボタン部
１３    キー部
１３ａ    プッシュボタン
１４    機能ボタン部
１４ａ    リセットボタン
１４ｂ    保留ボタン
１４ｃ    転送ボタン
１４ｄ    フックボタン
１５    デジレスボタン部
１６    カメラ部
１７    スピーカー部
１８    マイク部
１９    ポインティングデバイス部
２１，３２    制御部
２２，３３    画像処理部
２３，３５    ＬＡＮインタフェース
２４    テレビ電話通信部
２５    ＵＢＳインタフェース
２６    ＲＧＢアナログ画像信号入力インタフェース
２７    ＲＧＢアナログ画像信号出力インタフェース
２８    ＤＶＩデジタル画像信号入力インタフェース
２９    ＤＶＩデジタル画像信号出力インタフェース
３０，３４    記憶部
３１，４１    サーバ
３６，３７，４６，４７，６６，６７    電話機
３８    電池
５１    呼制御装置
５６，５７    シンクライアント電話システム
６１〜６３    ＬＡＮ
【図１】
0004941146.tif 000002
【図２】
0004941146.tif 000003
【図３】
0004941146.tif 000004
【図４】
0004941146.tif 000005
【図５】
0004941146.tif 000006
【図６】
0004941146.tif 000007